(57)【要約】【課題】筐体の薄型化が可能で、生産コストに優れ且つ記録ディスクの再生動作を遅滞なく行うディスクドライブ装置を提供する。【解決手段】ディスクドライブ装置１において、記録ディスク３が挿入される筐体２と、記録ディスク３に対して再生動作を行うトラバースユニット４と、トラバースユニット４を軸回りに回動可能に軸支し、筐体２に挿入された記録ディスク３が筐体２の外部へ排出される際に、トラバースユニット４を筐体２の底面２ａに向けて回動させる回動軸５ａと、を備え、回動軸５ａによる回動後のトラバースユニット４の下端が筐体２の底面２ａより上方に位置するように、トラバースユニット４の底面２ａとの接触部分を切除したことを特徴とする。【選択図】図１
2011146106.tif 000002
【特許請求の範囲】
【請求項１】
記録ディスクが挿入される筐体と、
前記記録ディスクが前記筐体に挿入された状態で、前記記録ディスクと係合し、前記記録ディスクに対して再生動作を行う再生部と、
前記筐体に挿入された記録ディスクが前記筐体の外部へ排出される際に、前記再生部を前記筐体の底面に向けて回動させる回動部と、
を備え、
前記回動部による回動後の再生部の下端が前記筐体の底面より上方に位置するように、前記再生部の前記筐体の底面との接触する部分を切除したことを特徴とするディスクドライブ装置。
【請求項２】
請求項１に記載のディスクドライブ装置において、
前記再生部は、
前記記録ディスクが前記筐体に挿入された状態で、前記記録ディスクの情報記録面に対して情報信号の読取り動作を行う光ピックアップと、
前記光ピックアップを支持し、前記回動部による回動後の再生部の下端に位置する光ピックアップ支持部材と、
を備え、
前記光ピックアップ支持部材を、当該光ピックアップ支持部材の前記筐体の底面との近接する部分を切除した形状とすることを特徴とするディスクドライブ装置。
【請求項３】
請求項２に記載のディスクドライブ装置において、
前記近接する部分を切除した形状からなる回動後の光ピックアップ支持部材の底面は、前記筐体の底面と平行に形成されていることを特徴とするディスクドライブ装置。
【発明の詳細な説明】
【技術分野】
【０００１】
本発明は、ディスクドライブ装置に関する。
【背景技術】
【０００２】
従来、ＣＤ（Ｃｏｍｐａｃｔ  Ｄｉｓｃ），ＤＶＤ（Ｄｉｇｉｔａｌ  Ｖｅｒｓａｔｉｌｅ  Ｄｉｓｃ），ＢＤ（登録商標：Ｂｌｕ−ｒａｙＤｉｓｃ）等の記録ディスクに対する再生動作を行うディスクドライブ装置が知られている。
【０００３】
このようなディスクドライブ装置は、光ピックアップを介して、記録ディスクの再生動作を行うための再生部や、再生部を軸回りに回動可能に軸支する回動部を備える。そして、記録ディスクの再生動作を行う場合、再生部は記録ディスクの読取位置に移動し当該記録ディスクの再生動作を行う。一方で、記録ディスクが筐体外部に排出される場合、再生部は回動部により筐体の底面に向けて回動することで、記録ディスクが筐体の外部へ向けて移動する動作を阻害しないように構成されている。
ところが、このようなディスクドライブ装置によると、再生部が筐体の底面に向けて回動する際に、再生部の下端と筐体の底面とが接触して材料の磨耗等が生じない程度に、筐体の厚み（高さ方向の長さ）を十分大きく設計しておかなければならず、筐体の薄型化が図れないという問題があった。
【０００４】
そこで、光ピックアップを搭載した光ピックアップ支持部材が再生部の最下端に配置され、記録ディスクが筐体の外部に存在する状態において、上記光ピックアップ支持部材が回動軸と近接した待機位置に配置されるように構成したディスクドライブ装置が知られている（例えば、特許文献１等参照）。
【先行技術文献】
【特許文献】
【０００５】
【特許文献１】特開２００６−２３６４７１号公報
【０００６】
特許文献１に記載のディスクドライブ装置によると、再生部が回動部により筐体の底面に向けて回動した際に、光ピックアップ支持部材は、回動軸と近接した待機位置に配置されるように上方へ向けて移動する。つまり、再生部が底面に向けて回動した際の、再生部の下端位置を高くすることが可能となるので、筐体の薄型化が実現できる。
【発明の概要】
【発明が解決しようとする課題】
【０００７】
しかしながら、特許文献１に記載のディスクドライブ装置では、光ピックアップ支持部材を待機位置まで移動させるには、当該待機位置に光ピックアップ支持部材があるかどうかを検出するセンサ等を別途必要としていたため、生産コスト上の問題があった。さらに、特許文献１に記載のディスクドライブ装置は、記録ディスクの再生動作を行う場合、待機位置にある光ピックアップ支持部材を記録ディスクの最内周位置近傍（光ピックアップ支持部材の移動範囲において、待機位置から最も離れた位置）まで移動した上で、記録ディスクの読取を開始する必要があるので、再生動作の開始までに時間が掛かるという問題があった。
【０００８】
そこで、本発明の課題は、筐体の薄型化が可能で、生産コストに優れ且つ記録ディスクの再生動作を遅滞なく行うディスクドライブ装置を提供することである。
【課題を解決するための手段】
【０００９】
以上の課題を解決するため、請求項１に記載の発明は、記録ディスクが挿入される筐体と、前記記録ディスクが前記筐体に挿入された状態で、前記記録ディスクと係合し、前記記録ディスクに対して再生動作を行う再生部と、前記筐体に挿入された記録ディスクが前記筐体の外部へ排出される際に、前記再生部を前記筐体の底面に向けて回動させる回動部と、を備え、前記回動部による回動後の再生部の下端が前記筐体の底面より上方に位置するように、前記再生部の前記筐体の底面との接触する部分を切除したことを特徴とする。
【発明の効果】
【００１０】
したがって、本発明は、筐体の薄型化が可能で、生産コストに優れ且つ記録ディスクの再生動作を遅滞なく行うディスクドライブ装置を提供することができる。
【図面の簡単な説明】
【００１１】
【図１】本発明に係るディスクドライブ装置の内部構成を、側方から眺めた状態を模式的に示す図である。
【図２】図１に示すトラバースユニットを、筐体の底面に向けて回動させた状態を示す図である。
【図３】本発明に係るディスクドライブ装置の内部構成を、上方から眺めた状態を模式的に示す図である。
【図４】図２に示すディスクドライブ装置において、トラバースユニットの筐体との接触部分を切除する前の状態を示す図である。
【図５】図２に示すディスクドライブ装置において、トラバースユニットに別の切除部を設けた状態を示す図である。
【発明を実施するための形態】
【００１２】
以下、本発明の実施形態について図１〜図５を用いて説明する。ただし、発明の範囲は、図示例に限定されない。なお、以下の説明では、図１及び図３に示すように、ディスクドライブ装置１を設置時に正面から見たときの左右方向をＸ軸方向、前後方向（記録ディスク３を挿入したときの当該記録ディスク３の移動方向）をＹ軸方向、ディスクドライブ装置１を設置時に正面から見たときのディスクドライブ装置の上下方向（高さ方向）をＺ軸方向とする。
【００１３】
本実施形態に係るディスクドライブ装置１は、略直方体形状の筐体２を備える。
筐体２の前方端部には、記録ディスク３を挿通させる開口部（図示省略）が形成されている。そして、開口部の後方には、記録ディスク３を前後（Y軸方向）に移動させる手段の1例としてローラ（図示省略）が開口部と平行に備えられる。つまり、筐体２は、上記ローラの回転作用により記録ディスク３を挿入及び排出することができる。
【００１４】
記録ディスク３は、ＣＤ，ＤＶＤ，ＢＤ等の各種の光ディスクであり、裏面側に情報を記録又は読み込むことの出来る情報記録面を備える。この記録ディスク３は、筐体２の開口部近傍へ配置されると自動的に、又はリモートコントローラや筐体２の前面に設けられる操作パネル等の操作部（図示せず）をユーザが操作することにより、ローラの作用を介して筐体２へ挿入される。一方、当該挿入された記録ディスク３は、ローラの作用で筐体２の外部へ排出される。以下では、図１に示すように記録ディスク３が筐体２の内部に挿入された状態を挿入状態、図２に示すように記録ディスク３が筐体２の外部へ排出され、図示されない状態を排出状態とする。
【００１５】
筐体２の内部には、図１〜図３に示すように、挿入状態で記録ディスク３の下面に配置されるトラバースユニット１０と、トラバースユニット１０のＸＹ平面視における各々の端部に設けられたインシュレータ４と、トラバースユニット１０を載置するフレーム５と、が配置される。
【００１６】
インシュレータ４は、図３に示すように、ＸＹ平面視でトラバースユニット１０のシャーシ１１の４つの端部位置に各々設けられる略円筒状の部材である。インシュレータ４は、図１及び図２に示されるように、Ｚ軸方向の中央位置に、他の部分より小径からなる小径部が形成されている。この小径部は、ＸＹ平面視でシャーシ１１の４つの端部位置に形成された孔（図示省略）と嵌合する。そのため、インシュレータ４は、小径部をシャーシ１１の孔に嵌合させることでシャーシ１１に装着される。
また、このインシュレータ４には、中心部に後述のフレーム５の雌ネジ溝を中心に有する円筒上のボスが貫通され、雄ネジ４ａと雌ネジ溝とが螺合する。つまり、当該雄ネジ４ａを雌ネジ溝に締め付けることで、シャーシ１１（及びトラバースユニット１０）はフレーム５に取り付けられる。そして、インシュレータ４は、弾性変形可能な樹脂材などで形成されており、トラバースユニット１０をフレーム５に取り付けた状態で、トラバースユニット１０が引き起こす振動を減衰させることができる。
【００１７】
フレーム５は、トラバースユニット１０の下方に配置される。また、フレーム５は、インシュレータ４が設けられた平面位置に対応する各々の位置に、雄ネジ４ａと螺合する雌ネジ溝を備える。
フレーム５の後方端部には、Ｘ軸方向に沿って延設された回動軸５ａが設けられている。この回動軸５ａが図示しないモータより付与される回動力に応じてＸ軸回りに回動することにより、フレーム５及びフレーム５に取り付けられたトラバースユニット１０は、図１，図２に示すｒ１方向又はｒ２方向に回動する。
さらに、回動軸５ａは記録ディスク３の前後方向の移動に連動して回動するように構成されている。具体的には、図１に示す挿入状態にある記録ディスク３が筐体２の外部へ向けて前方へ移動する際に、回動軸５ａはｒ１方向へ回動し、図２に示すように、トラバースユニット１０を筐体２の底面２ａに向かって傾倒させ、記録ディスク３の移動経路を確保する。つまり、図１に示す記録ディスク３の下面に当接するトラバースユニット１０が、記録ディスク３の前方への移動を阻害しないように、回動軸５ａが回動する。一方で、図２に示す排出状態より、記録ディスク３が筐体２の内部へ向けて後方へ移動する際に、回動軸５ａはｒ２方向へ回動し、図１に示すようにトラバースユニット１０を記録ディスク３と平行になるように動作させる。
なお、図３における破線で囲まれた部分は、フレーム５の裏面側に穴が形成された箇所であることを示す。
【００１８】
トラバースユニット１０は、図１〜図３に示すように、フレーム５の上方に配置されたシャーシ１１と、挿入状態で記録ディスク３に係合するように配置されるターンテーブル１２と、ターンテーブル１２の下方に接続されたモータ１３と、ターンテーブル１２の後方に配置されるピックアップユニット２０と、シャーシ１１に固定された主ガイド部材１４，副ガイド部材１５と、を備えて構成される。
そして、トラバースユニット１０は、ピックアップユニット２０による記録ディスク３の情報記録面に対する読取り動作に基づいて、記録ディスク３の再生動作を行う。
【００１９】
シャーシ１１は、図３に示すように、ＸＹ平面視で矩形状からなる。また、シャーシ１１は、インシュレータ４を装着させるための孔（図示省略）を備え、当該インシュレータ４を介してフレーム５に支持される。
ターンテーブル１２は、ターンテーブル１２よりも上方に配設されるクランパ（図示省略）が、筐体２に挿入される記録ディスク３を下方へ（ターンテーブル１２に向けて）押圧することで、記録ディスク３と係合する（記録ディスク３の中心に形成される孔と嵌合する）。また、ターンテーブル１２は、上記係合した記録ディスク３をＺ軸回りに回転可能に保持する。
モータ１３は、例えば、シャーシ１１の上面に固定されたスピンドルモータである。そして、モータ１３は、Ｚ軸方向に回転軸１３ａを備え、当該回転軸１３ａの先端にターンテーブル１２を取り付ける。そのため、モータ１３がＺ軸回りに回転することで、ターンテーブル１２上に保持される記録ディスク３がＺ軸回りに回転する。
【００２０】
主ガイド部材１４は、シャーシ１１に固定され、Ｙ軸方向に延設されたガイドレールである。副ガイド部材１５は、Ｙ軸方向に延設されたガイドレールである。
そして、主ガイド部材１４及び副ガイド部材１５は、後述する主ガイド部材受部２１ａ及び副ガイド部材受部２１ｂに各々挿通され、ピックアップユニット２０の左右を支持する。また、主ガイド部材１４及び副ガイド部材１５は、略円柱状に形成されており、ピックアップユニット２０を主ガイド部材１４及び副ガイド部材１５に沿って滑動させる。つまり、主ガイド部材１４及び副ガイド部材１５は、ピックアップユニット２０をＹ軸方向に移動させる（案内する）ことができる。
【００２１】
ピックアップユニット２０は、主ガイド部材１４及び副ガイド部材１５の間に設けられた光ピックアップ支持部材２１と、光ピックアップ支持部材２１に支持された光ピックアップ２２と、を備えて構成される。
【００２２】
光ピックアップ２２は、光ピックアップ支持部材２１に配置される。また、光ピックアップ２２は、挿入状態において記録ディスク３の情報記録面と対向する向きに対物レンズ２２ａを備える。そして、光ピックアップ２２は、光源（図示省略）より記録ディスク３に対して照射されるレーザー光を、対物レンズ２２ａで当該記録ディスク３の情報記録面上に集光することで、信号の読取り動作を行う。
なお、光ピックアップ２２の読取り動作は、記録ディスク３の最内周位置から開始される。そのため、光ピックアップ２２が読取り動作を行わない状態では、後述の光ピックアップ支持部材２１がＹ軸方向に移動することで、図２に示すように、ピックアップユニット２０はターンテーブル１２に隣接した位置で待機する。
【００２３】
光ピックアップ支持部材２１は、シャーシ１１上に配置され、上部に光ピックアップ２２を固着支持する。また、光ピックアップ支持部材２１の左右端部には、主ガイド部材受部２１ａ及び副ガイド部材受部２１ｂが設けられる。
主ガイド部材受部２１ａ及び副ガイド部材受部２１ｂは、各々主ガイド部材１４及び副ガイド部材１５を挿通させる円形状の孔（図示省略）を備える。また、主ガイド部材受部２１ａの右側面にはラック歯（図示省略）が形成されている。そのため、ピックアップユニット２０は、当該ラック歯に噛合するピニオン歯車やピニオン歯車に駆動力を付与するモータ等を介して、ガイド部材１４及び副ガイド部材１５に沿ってＹ軸方向に移動可能に構成されている。
【００２４】
光ピックアップ支持部材２１の下部２１ｃは、図２に示すように、トラバースユニット１０が筐体２の底面２ａに向かって傾倒した状態において、トラバースユニット１０の最下端に位置する。そして、下部２１ｃは、図４に示すＹＺ平面視で矩形形状の矩形部２１ｄより、切除線Ｌに沿って切除部２１ｅを切除した形状からなる。
ここで、矩形部２１ｄは、従来の光ピックアップ支持部材２１の下部２１ｃとして用いられた形状である。つまり、下部２１ｃは、矩形部２１ｄのように形成された場合、トラバースユニット１０を図１に示す挿入状態から筐体２の底面２ａに向かって傾倒した状態まで回動させた際に、切除部２１ｅの底面２ａと重なる箇所が底面２ａと接触する。そこで図２に示すように、下部２１ｃを、光ピックアップ支持部材２１の筐体２の底面２ａとの近接部分である切除部２１ｅを切除した形状に形成することで、トラバースユニット１０の最下端が底面２ａより上方に位置するようになるので、トラバースユニット１０は筐体２との接触（干渉）が避けられる。そのため、接触に起因する不都合、例えば、ピックアップユニット２０の位置ずれや材料の磨耗、等が解消される。
また、切除部２１ｅを切除した下部２１ｃの底面２１ｆは、図２に示すように、筐体２の底面２ａと平行になるように形成されている。そのため、トラバースユニット１０を底面２ａに向かって傾倒させた際の、下部２１ｃと底面２ａとの間の隙間は下部２１ｃの底面２１ｆ全体に亘って等しくなるので、筐体２の厚みＨの設計等が容易になる。
【００２５】
なお、底面２ａとの接触が避けられるものであれば、トラバースユニット１０の寸法や回動軸５ａの回動角，筐体２の厚みＨ，等に応じて、切除部２１ｅの設け方は適宜に変更可能である。例えば、図５に示すように、切除線Ｌを図２よりも下方に設け、切除部２１ｅが、接触を回避するために最小限切除すべき箇所となるようにしても勿論良い。
【００２６】
次に、本実施形態におけるディスクドライブ装置１の作用について説明する。
【００２７】
記録ディスク３の再生動作を行う場合、記録ディスク３が筐体２の開口部近傍へ配置された状態で、自動的に又はユーザによる操作部の操作を介して、記録ディスク３はローラの作用で後方（筐体２の内部）へ向けて移動し、筐体２に挿入される。
そして、記録ディスク３の移動に連動して、回動軸５ａがｒ２方向に回動し、トラバースユニット１０が、図２に示す筐体２の底面２ａに向かって傾倒した状態から、記録ディスク３の下面に当接する位置まで回動する。さらに、クランパが記録ディスク３に付与する押圧力により記録ディスク３とターンテーブル１２とが係合し、図１に示す挿入状態を形成する。
次いで、挿入状態において記録ディスク３を保持するターンテーブル１２が、モータ１３によりＺ軸回りに回転するとともに、ピックアップユニット２０が主ガイド部材１４及び副ガイド部材１５に案内されてＹ軸方向に移動する。上記移動時に、ピックアップユニット２０が記録ディスク３の情報記録面の所定位置より信号の読取り動作を行うことで、トラバースユニット１０は記録ディスク３の再生動作を行う。
【００２８】
一方、記録ディスク３を交換する場合、ユーザが操作部を操作（イジェクトボタン等を押下）することにより、ピックアップユニット２０が前方に向けて（記録ディスク３の最内周位置へ向けて）移動した後、回動軸５ａがｒ１方向に回動する。そして、回動軸５ａの回動により、トラバースユニット１０は、筐体２の底面２ａに向かって傾斜し、記録ディスク３の移動経路を確保する。この際、トラバースユニット１０の最下端に位置する光ピックアップ支持部材２１の下部２１ｃは、切除部２１ｅが切除された形状に形成されているため、筐体２の底面２ａから上方に離間した状態で回動後静止する。
そして、回動軸５ａの回動に連動して、記録ディスク３が前方へ向かって移動し、記録ディスク３が筐体２の外部へ排出されることで図２に示す排出状態となり、ユーザは記録ディスク３の交換が可能となる。
【００２９】
以上より、本実施形態におけるディスクドライブ装置１は、トラバースユニット１０の最下端に位置する切除部２１ｅが切除された形状からなる。そのため、トラバースユニット１０は、筐体２の底面２ａに向かって傾倒した状態で、底面２ａとの接触を回避できる。つまり、従来のように、切除部２１ｅに相当する位置が接触しないように筐体２の厚みＨを大きく設計しておく必要がないので、筐体２の薄型化が可能となる。
また、ディスクドライブ装置１では、トラバースユニット１０を筐体２の底面２ａに向かって傾倒させる際に、光ピックアップ支持部材２１を回動軸５ａに近接する位置まで移動させて、トラバースユニット１０の下端位置が高くなるようにしなくてよい。よって、ディスクドライブ装置１は、当該近接する位置を検出するセンサ等を設ける必要性や、記録ディスク３の再生動作時に、当該近接する位置から記録ディスク３の最内周位置まで移動させる必要性が無い。
したがって、ディスクドライブ装置１は、筐体２の薄型化が可能で、生産コストに優れ且つ記録ディスク３の再生動作を遅滞なく行うことができる。
【００３０】
また、切除部２１ｅは、トラバースユニット１０を底面２ａに向かって傾倒させた際に、トラバースユニット１０の最下端に位置する光ピックアップ支持部材２１の下部２１ｃに設けられる。つまり、光ピックアップ支持部材２１の筐体２の底面２ａとの近接部分である切除部２１ｅを切除するだけで、トラバースユニット１０の底面２ａとの接触が回避されるので、ディスクドライブ装置１は、筐体２の厚みＨを大きく設計する場合に比べて安価に製造できる。
【００３１】
また、切除部２１ｅを切除した下部２１ｃの底面２１ｆは、筐体２の底面２ａと平行になるように形成されている。そのため、トラバースユニット１０を底面２ａに向かって傾倒させた際の、下部２１ｃと底面２ａとの間の隙間は下部２１ｃの底面２１ｆ全体に亘って等しくなるので、筐体２の厚みＨの設計等が容易になる。
【００３２】
なお、以上の実施形態における記述は、本発明に係る好適なディスクドライブ装置の一例であり、これに限定されるものではない。また、以上の実施形態におけるディスクドライブ装置を構成する各部の細部構成及び細部動作に関して本発明の趣旨を逸脱することのない範囲で適宜変更可能である。
例えば、上記実施形態において、ディスクドライブ装置１は、トラバースユニット１０が筐体２の底面２ａに向かって傾倒した状態において、光ピックアップ支持部材２１の下部２１ｃがトラバースユニット１０の最下端に位置するように構成したが、光ピックアップ支持部材２１以外の部位が最下端に位置するように構成した場合、当該部位の底面２ａとの接触部分を切除するように構成しても当然良い。また、上記実施形態では、筐体２のローラが記録ディスク３をＹ軸方向に移動させることで、当該記録ディスク３を筐体２の内部に挿入／外部へ排出するスロットイン方式のディスクドライブ装置を例示しているが、記録ディスク３を載置し、筐体２の内外部へ移動可能なトレイを備えたトレイ方式を用いたディスクドライブ装置であっても良い。
また、上記実施形態において、トラバースユニット１０は、ピックアップユニット２０による記録ディスク３の情報記録面に対する読取り動作に基づいて、記録ディスク３の再生動作を行うように構成したが、例えば、ピックアップユニット２０による記録ディスク３の情報記録面に対する書込み動作に基づいて、記録ディスク３の記録動作も行えるように構成しても勿論良い。
【符号の説明】
【００３３】
１     ディスクドライブ装置
２     筐体
２ａ   底面
３     記録ディスク
５ａ   回動軸（回動部）
１０   トラバースユニット（再生部）
２０   ピックアップユニット
２１   光ピックアップ支持部材
２１ｃ 下部
２１ｆ 底面
２２   光ピックアップ
【図１】
2011146106.tif 000003
【図２】
2011146106.tif 000004
【図３】
2011146106.tif 000005
【図４】
2011146106.tif 000006
【図５】
2011146106.tif 000007